(57)【特許請求の範囲】
【請求項１】
プレゼンテーションファイルを解析し、プレゼンテーション画面をスライドごとに画像ファイルへ変換して抽出するとともに、前記スライド間のアニメーション効果情報を抽出するスライド抽出部と、
前記スライド抽出部により抽出された画像ファイル及びアニメーション効果情報に対して、少なくともサイネージ再生装置で再生可能なアニメーション効果を再設定するスライド効果設定部と、
前記スライド効果設定部によって再設定された前記画像ファイル及びアニメーション効果情報をコンテンツデータとして記憶部に登録するスライド登録部と、
を備えることを特徴とするコンテンツ作成装置。
【請求項２】
前記スライド効果設定部は、前記スライド抽出部により抽出された前記アニメーション効果情報に対応するアニメーション効果が前記サイネージ再生装置で用意されていない場合には、代用のアニメーション効果情報を設定する、
ことを特徴とする請求項１記載のコンテンツ作成装置。
【請求項３】
前記スライド効果設定部は、前記スライド抽出部により抽出された前記アニメーション効果情報に代えて、前記プレゼンテーションファイルの仕様にないアニメーション効果情報を設定する、
ことを特徴とする請求項１または２記載のコンテンツ作成装置。
【請求項４】
コンピュータを、
プレゼンテーションファイルを解析し、プレゼンテーション画面をスライドごとに画像ファイルへ変換して抽出するとともに、前記スライド間のアニメーション効果情報を抽出するスライド抽出部と、
前記スライド抽出部により抽出された画像ファイル及びアニメーション効果情報に対して、少なくともサイネージ再生装置で再生可能なアニメーション効果を再設定するスライド効果設定部と、
前記スライド効果設定部によって再設定された前記画像ファイル及びアニメーション効果情報をコンテンツデータとして記憶部に登録するスライド登録部と、
として機能させることを特徴とするプログラム。
【請求項５】
前記スライド効果設定部は、前記スライド抽出部により抽出された前記アニメーション効果情報に対応するアニメーション効果が前記サイネージ再生装置で用意されていない場合には、代用のアニメーション効果情報を設定する、
ことを特徴とする請求項４記載のプログラム。
【請求項６】
前記スライド効果設定部は、前記スライド抽出部により抽出された前記アニメーション効果情報に代えて、前記プレゼンテーションファイルの仕様にないアニメーション効果情報を設定する、
ことを特徴とする請求項４または５記載のプログラム。
【発明の詳細な説明】
【技術分野】
【０００１】
本発明の実施形態は、コンテンツ作成装置およびプログラムに関する。
【背景技術】
【０００２】
広告、イベント、お知らせ等のコンテンツを不特定者に提示する仕組みとして、表示装置等のサイネージ端末にデジタル化されたコンテンツを表示させるシステム、いわゆるデジタルサイネージシステムが知られている。
【発明の概要】
【発明が解決しようとする課題】
【０００３】
ところで、サイネージ端末に表示させるためのコンテンツデータとしてプレゼンテーションアプリケーション向けのデータファイル（プレゼンテーションファイル）を再生するためには、様々な効果を実現するために専用の再生プログラムをデジタルサイネージ再生装置内にインストールする必要がある。
【０００４】
しかしながら、全てのデジタルサイネージ再生装置に専用の再生プログラムをインストールすることでプレゼンテーションデータの再生が可能になったとしても、プレゼンテーションデータをデジタルサイネージ再生装置に記憶できないなど、データの取り扱いに問題がある。
【課題を解決するための手段】
【０００５】
実施形態のコンテンツ作成装置は、プレゼンテーションファイルを解析し、プレゼンテーション画面をスライドごとに画像ファイルへ変換して抽出するとともに、前記スライド間のアニメーション効果情報を抽出するスライド抽出部と、前記スライド抽出部により抽出された画像ファイル及びアニメーション効果情報に対して、少なくともサイネージ再生装置で再生可能なアニメーション効果を再設定するスライド効果設定部と、前記スライド効果設定部によって再設定された前記画像ファイル及びアニメーション効果情報をコンテンツデータとして記憶部に登録するスライド登録部と、を備える。
【０００６】
実施形態のプログラムは、コンピュータを、プレゼンテーションファイルを解析し、プレゼンテーション画面をスライドごとに画像ファイルへ変換して抽出するとともに、前記スライド間のアニメーション効果情報を抽出するスライド抽出部と、前記スライド抽出部により抽出された画像ファイル及びアニメーション効果情報に対して、少なくともサイネージ再生装置で再生可能なアニメーション効果を再設定するスライド効果設定部と、前記スライド効果設定部によって再設定された前記画像ファイル及びアニメーション効果情報をコンテンツデータとして記憶部に登録するスライド登録部と、として機能させる。
【図面の簡単な説明】
【０００７】
【図１】図１は、本実施形態にかかる情報処理システムの概略構成を示すブロック図である。
【図２】図２は、サイネージ端末装置の外観正面図である。
【図３】図３は、サイネージ端末装置の概略構成を示すブロック図である。
【図４】図４は、情報配信サーバの概略構成を示すブロック図である。
【図５】図５は、コンテンツデータベースに蓄積されるデータの構成を示す図である。
【図６】図６は、情報配信サーバの機能構成を示すブロック図である。
【図７】図７は、プレゼンテーションデータ登録処理の流れを示すフローチャートである。
【図８】図８は、プレゼンテーションデータ登録にかかる画面遷移例を示す図である。
【図９】図９は、画像ファイルおよびアニメーション効果情報の例を示す図である。
【図１０】図１０は、スライド画像登録画面の一例を示す正面図である。
【図１１】図１１は、スライドアニメーション設定画面の一例を示す正面図である。
【発明を実施するための形態】
【０００８】
図１は、本実施形態にかかる情報処理システムの概略構成を示すブロック図である。以下の説明では、本実施形態にかかる情報処理システムがショッピングモールに設けられた場合について説明する。
【０００９】
本実施形態にかかる情報処理システム１０は、デジタルサイネージ管理装置である情報配信サーバ１１と、デジタルサイネージ再生装置である複数のサイネージ端末装置１４とを備えている。
【００１０】
情報配信サーバ１１は、構内ＬＡＮ（Local  Area  Network）等の通信ネットワーク１２を介してサイネージ端末装置１４に接続されており、商品の広告情報やイベントの情報などの情報のコンテンツをサイネージ端末装置１４に対して配信、またコンテンツをサイネージ端末装置１４からのアクセスによって取得させる。
【００１１】
サイネージ端末装置１４は、通信ネットワーク１２を介して情報配信サーバ１１から配信または取得したコンテンツデータを再生して表示する。より詳細には、サイネージ端末装置１４は、プレゼンテーションファイルから抽出された画像ファイルをスライド画像とするとともに抽出されたアニメーション効果情報をサイネージ端末装置１４用のアニメーション効果情報に変換したコンテンツデータに基づいて、プレゼンテーションファイルのスライド画像およびスライド効果を再現するスライド再生機能を有している。
【００１２】
図２は、サイネージ端末装置の外観正面図である。サイネージ端末装置１４は、液晶ディスプレイあるいはプラズマディスプレイとして構成されたディスプレイユニット２１と、各種チケット，クーポン等を印刷して発行するプリンタユニット２２と、ディスプレイユニット２１，プリンタユニット２２を保持する筐体部２４と、を備えている。
【００１３】
筐体部２４の上部には、人物を撮影して画像認識を行い、人物の年齢層を特定し、配信する情報の種類を制御する等の用途に用いられるカメラユニット２５と、ＢＧＭや広告音声等の各種音響出力を行うスピーカユニット２６が内蔵されている。なお、画像認識等の処理は、サイネージ端末装置１４で行うことなく、情報配信サーバ１１等の上流側サーバで行っても良い。
【００１４】
図３は、サイネージ端末装置の概略構成を示すブロック図である。サイネージ端末装置１４は、上述したディスプレイユニット２１、プリンタユニット２２、カメラユニット２５、およびスピーカユニット２６の他、当該サイネージ端末装置１４全体を制御するコントローラ３１と、ユーザが各種操作を行うための操作部３２と、通信ネットワーク１２を介して情報配信サーバ１１との間で通信を行うためのネットワーク通信インタフェース（ＩＦ）３３と、各種データを記憶する外部記憶装置３５と、を備えている。
【００１５】
ここで、コントローラ３１は、当該コントローラ３１全体を制御するＭＰＵ（Micro  Processing  Unit）３６と、ＭＰＵ３６が動作するための制御プログラム等を格納したＲＯＭ（Read  Only  Memory）３７と、各種データを一時的に記憶するＲＡＭ（Random  Access  Memory）３８と、を備えている。そして、コントローラ３１は、ＭＰＵ３６がＲＯＭ３７に格納された制御プログラムを実行することにより、通信ネットワーク１２を介して情報配信サーバ１１から配信されたコンテンツを再生して、再生したコンテンツをディスプレイユニット２１に表示する。また、操作部３２は、各種スイッチ、ボタン等で構成したり、タッチパネルとしてディスプレイユニット２１と一体に構成したりしても良い。
【００１６】
図４は、情報配信サーバの概略構成を示すブロック図である。情報配信サーバ１１は、当該情報配信サーバ１１全体を制御するコントローラ４１と、ユーザが各種操作を行うためのキーボードやマウス等を有する操作部４２と、通信ネットワーク１２を介してサイネージ端末装置１４との間で通信を行うためのネットワーク通信インタフェース（ＩＦ）４３と、各種データを記憶する外部記憶装置４４と、液晶ディスプレイとして構成されたディスプレイユニット４５と、を備えている。
【００１７】
ここで、コントローラ４１は、当該コントローラ４１全体を制御するＭＰＵ４６、ＭＰＵ４６が動作するための制御プログラム等を格納したＲＯＭ４７と、各種データを一時的に記憶するＲＡＭ４８と、を備えている。
【００１８】
外部記憶装置４４は、素材データベースＤＢ１と、コンテンツデータベースＤＢ２とを格納している。素材データベースＤＢ１は、外部装置から提供されるコンテンツの素材データを蓄積する。コンテンツデータベースＤＢ２はコンテンツデータを蓄積する。
【００１９】
なお、本実施形態では、情報配信サーバ１１が有する外部記憶装置４４に素材データベースＤＢ１、コンテンツデータベースＤＢ２が格納されているが、これに限定するものではなく、例えば、情報配信サーバ１１と通信ネットワーク１２を介して接続された記憶装置（図示せず）に素材データベースＤＢ１、コンテンツデータベースＤＢ２が記憶されていても良い。
【００２０】
図５は、コンテンツデータベースＤＢ２に蓄積されるデータの構成を示す図である。図５に示すように、コンテンツデータベースＤＢ２には、コンテンツを識別する識別情報としてコンテンツＩＤと、当該コンテンツＩＤにより識別されるコンテンツのコンテンツ名と、当該コンテンツＩＤにより識別されるコンテンツデータと、が蓄積されている。
【００２１】
ところで、プレゼンテーションアプリケーション向けのデータファイル（プレゼンテーションファイル）は、デジタルサイネージと相性がよいが、プレゼンテーションファイルを再生するためには、様々な効果を実現するために専用の再生プログラムをデジタルサイネージ再生装置内にインストールする必要がある。しかしながら、全てのデジタルサイネージ再生装置に専用の再生プログラムをインストールすることでプレゼンテーションデータの再生が可能になったとしても、プレゼンテーションデータをデジタルサイネージ再生装置に記憶できないなど、データの取り扱いに問題がある。
【００２２】
次に、上述したような問題を解決するために、本実施形態にかかるコンテンツ作成装置である情報配信サーバ１１が有する特徴的な機能について説明する。図６は、情報配信サーバの機能構成を示すブロック図である。コントローラ４１は、ＲＯＭ４７に記憶された制御プログラムに従ってＭＰＵ４６を動作させることで、図６に示すように、スライド抽出部４６１、スライド登録部４６２、スライド効果設定部４６３として機能する。
【００２３】
スライド抽出部４６１は、専用の再生プログラムを必要とするプレゼンテーションファイルを解析し、プレゼンテーション画面をスライドごとに画像ファイルへ変換して抽出するとともに、スライド間のアニメーション効果情報を抽出する。プレゼンテーションファイルの解析は、プレゼンテーションファイルの仕様に基づき、スライドごとの画像（文字も含まれる）を確定させ、画像ファイルに置き換える。スライド間のアニメーション効果情報もまた同様である。したがって、スライド抽出部４６１は、複数の画像ファイル及びアニメーション効果情報を抽出する。
【００２４】
スライド登録部４６２は、スライド抽出部４６１で抽出した複数の画像ファイル及びアニメーション効果情報をコンテンツデータとしてコンテンツデータベースＤＢ２に登録する。なお、スライド登録部４６２は、スライド抽出部４６１で抽出した複数の画像ファイル及びアニメーション効果情報を圧縮形式で１つのデータファイルにまとめてコンテンツデータベースＤＢ２に登録するようにしても良い。
【００２５】
スライド効果設定部４６３は、スライド抽出部４６１で抽出した複数の画像ファイル及びアニメーション効果情報に対して、複数の画像ファイルについての画像ファイル間の表示順やサイネージ端末装置１４で再生可能なアニメーション効果を再設定する。
【００２６】
次に、プレゼンテーションデータ登録処理について詳細に説明する。ここで、図７は情報配信サーバ１１のプレゼンテーションデータ登録処理の流れを示すフローチャート、図８はプレゼンテーションデータ登録にかかる画面遷移例を示す図である。
【００２７】
スライド抽出部４６１は、例えばプレゼンテーションデータをコンテンツとして新規に設定する場合には、まず、図８（ａ）のシナリオ管理画面１０１を表示する。シナリオ管理画面１０１は、サイネージ端末装置１４のディスプレイユニット２１に表示するコンテンツデータおよびその表示順番などのシナリオ（プレイリスト）を管理する画面である。そして、ユーザが操作部４２を操作してシナリオ管理画面１０１上のプレゼンテーションを選択するボタンＢ１を操作したと判断すると、スライド抽出部４６１は、図８（ｂ）のプレゼンテーションコンテンツ登録画面１０２に遷移する。
【００２８】
次に、スライド抽出部４６１は、図８（ｂ）のプレゼンテーションコンテンツ登録画面１０２を表示する。そして、ユーザが操作部４２を操作してプレゼンテーションコンテンツ登録画面１０２上の新規設定を選択するボタンＢ２を操作したと判断すると、スライド抽出部４６１は、図８（ｃ）のプレゼンテーションファイル変換画面１０３に遷移する。図８（ｃ）のプレゼンテーションファイル変換画面１０３には、素材データベースＤＢ１の所望のプレゼンテーションファイルに至るファイルパスを選択可能なエリア１０３１と、画像ファイル数を表示するエリア１０３２と、画像ファイルの画像を表示するエリア１０３３とが設けられている。
【００２９】
次に、スライド抽出部４６１は、ユーザが操作部４２を操作したことによってプレゼンテーションファイル変換画面１０３でエリア１０３１にファイルパスを選択して変換ボタンＢ３を操作したと判断すると、プレゼンテーションファイルを解析し、プレゼンテーション画面をスライドごとに画像ファイルへ変換して抽出してエリア１０３３に表示するとともに、スライド間のアニメーション効果情報を抽出する（ステップＳ１）。図９は、抽出された複数の画像ファイルおよびアニメーション効果情報の例を示す図である。例えば、アニメーション種“１”は“右から左に移動”を示すアニメーション効果情報であり、アニメーション種“５”は“ワイプ”を示すアニメーション効果情報である。
【００３０】
スライド登録部４６２は、スライド抽出部４６１によって複数の画像ファイルおよびアニメーション効果情報の抽出が完了したと判定すると、図１０に示すスライド画像登録画面１０４を表示する（ステップＳ２）。
【００３１】
図１０に示すスライド画像登録画面１０４は、スライド抽出部４６１によって抽出した複数の画像ファイルおよびアニメーション効果情報のファイル名の登録を受け付ける画面である。なお、スライド画像登録画面１０４においては、背景色などの登録も可能である。
【００３２】
スライド登録部４６２は、ユーザが操作部４２を操作してスライド画像登録画面１０４のファイル名エリア１０４１にファイル名を登録して確定ボタンＢ４を操作すると、ファイル名が確定したと判断して（ステップＳ３のＹｅｓ）、ステップＳ４に進む。
【００３３】
ステップＳ４では、スライド効果設定部４６３が、図１１に示すスライドアニメーション設定画面１０５を表示する。
【００３４】
図１１に示すスライドアニメーション設定画面１０５は、スライド抽出部４６１で抽出した複数の画像ファイル及びアニメーション効果情報に対して、複数の画像ファイルについての画像ファイル間の表示順やサイネージ端末装置１４で再生可能なアニメーション効果、表示秒数などを再設定する。すなわち、スライドアニメーション設定画面１０５では、スライド抽出部４６１で抽出した複数の画像ファイル及びアニメーション効果情報をエリア１０５１に表示し、スライド効果設定部４６３は、スライド抽出部４６１で抽出した複数の画像ファイルについて画像ファイル間の表示順やサイネージ端末装置１４で再生可能なアニメーション効果をエリア１０５２において変更可能とする。なお、スライド効果設定部４６３は、抽出したアニメーション効果情報に対応するアニメーション効果がデジタルサイネージ再生装置であるサイネージ端末装置１４で用意されていない場合には、代用のアニメーション効果情報を設定する。また、スライド効果設定部４６３は、前記スライド抽出部により抽出された前記アニメーション効果情報に代えて、プレゼンテーションファイルの仕様にないアニメーション効果情報を設定することも可能となる。
【００３５】
また、スライドアニメーション設定画面１０５にはプレビュー画面１０５３が設けられており、ユーザが操作部４２を操作してプレビューボタンＢ５が操作されると、プレビュー画面１０５３において作成したコンテンツデータがどのような表示になるのかを確認することができる。
【００３６】
そして、ユーザが操作部４２を操作してスライドアニメーション設定画面１０５の確定ボタンＢ６が操作されると、アニメーション効果等が確定したと判断して（ステップＳ５のＹｅｓ）、スライド登録部４６２は、複数の画像ファイル及びアニメーション効果情報をサイネージ端末装置１４で再生可能なコンテンツデータとしてコンテンツデータベースＤＢ２に登録する（ステップＳ６）。なお、スライド登録部４６２は、スライド抽出部４６１で抽出した複数の画像ファイル及びアニメーション効果情報を圧縮形式で１つのファイルにまとめてコンテンツデータベースＤＢ２に登録するようにしても良い。
【００３７】
なお、コンテンツデータベースＤＢ２にコンテンツデータを登録するにあたって、コンテンツＩＤは自動的に付番され、コンテンツ名はスライド画像登録画面１０４のファイル名エリア１０４１に登録されたファイル名が適用される。
【００３８】
デジタルサイネージ再生装置であるサイネージ端末装置１４は、上述のようにして生成されたコンテンツデータを情報配信サーバ１１から自ら取得、または情報配信サーバ１１から配信を受け取る。サイネージ端末装置１４は、コンテンツデータを受け取ると、受け取ったコンテンツデータを外部記憶装置３５などに保持するとともに、複数の画像ファイルとアニメーション効果情報を基にディスプレイユニット２１上に基となったプレゼンテーションデータによる表示を再現する。なお、複数の画像ファイルとアニメーション効果情報は登録時のようにまとめて受け取ってもよいし、登録されたデータを必要に応じ解凍して配信順序にしたがって順に受け取ってもよい。
【００３９】
このように、本実施形態のコンテンツ作成装置によれば、プレゼンテーションファイルから抽出された画像ファイル及びアニメーション効果情報に対して、少なくともサイネージ端末装置１４で再生可能なアニメーション効果を再設定してプレゼンテーションデータの再生が可能にするとともに、再設定された画像ファイル及びアニメーション効果情報をコンテンツデータとして記憶部に登録することができる。
【００４０】
本実施形態の情報配信サーバ１１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００４１】
また、本実施形態の情報配信サーバ１１で実行されるプログラムを、インターネット等のネットワークに接続されたコンピュータ上に格納し、ネットワーク経由でダウンロードさせることにより提供するように構成しても良い。また、本実施形態の情報配信サーバ１１で実行されるプログラムをインターネット等のネットワーク経由で提供または配布するように構成しても良い。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
１１      コンテンツ作成装置
４６１    スライド抽出部
４６２    スライド登録部
４６３    スライド効果設定部
【先行技術文献】
【特許文献】
【００４４】
【特許文献１】特開２０１０−０７９７７０号公報
【図１】
0005498520.tif 000002
【図２】
0005498520.tif 000003
【図３】
0005498520.tif 000004
【図４】
0005498520.tif 000005
【図５】
0005498520.tif 000006
【図６】
0005498520.tif 000007
【図７】
0005498520.tif 000008
【図８】
0005498520.tif 000009
【図９】
0005498520.tif 000010
【図１０】
0005498520.tif 000011
【図１１】
0005498520.tif 000012